(57)【要約】【課題】吸込み効率の良いジェットバスの循環用接続部材を提供する。【解決手段】浴水９２の吸入流路１５に連通する開口１０を有するハウジング１を浴槽壁２の貫通穴２０に連通させ、浴槽壁２の槽内側から筒部４１及びフランジ部４２よりなるフランジ部材４の筒部４１を貫通穴２０を介してハウジング１の開口１０内に挿入し、フランジ部４２を貫通穴２０の周囲の槽内側の面２２に当接させ、略中央部に吐出口７０を形成した正面蓋部７１と該正面蓋部７１の周縁から連設され異物混入防止のため目の細かい穴７３を多数形成した側筒部７２とからなるキャップ部材７をフランジ部材４のフランジ部４２に被せてなるジェットバスの循環用接続部材において、浴水９２がキャップ部材７の目の細かい穴７３を通らずにキャップ部材７と浴槽壁２との間の隙間Ｓから吸入されるのを防止するため前記隙間Ｓを埋めて浴水９２の吸入を阻止する阻止部材８を設けた。【選択図】図１
2008154885.tif 000002
【特許請求の範囲】
【請求項１】
浴水の吸入流路に連通する開口を有するハウジングの前記開口を浴槽壁の貫通穴に連通させてハウジングの前記開口の周囲を貫通穴の周囲の槽外側の面に外側パッキンを介して当接させ、浴槽壁の槽内側から筒部及びフランジ部よりなるフランジ部材の筒部を貫通穴を介してハウジングの開口内に挿入して筒部内と吸入流路とを連通させると共に、フランジ部を内側パッキンを介して貫通穴の周囲の槽内側の面に当接させてハウジングとフランジ部材とで浴槽壁を挟持した状態で固定し、略中央部に吐出口を形成した正面蓋部と該正面蓋部の周縁から連設され異物混入防止のため目の細かい穴を多数形成した側筒部とからなるキャップ部材をフランジ部材のフランジ部に被せてなるジェットバスの循環用接続部材において、浴水がキャップ部材の目の細かい穴を通らずにキャップ部材と浴槽壁との間の隙間から吸入されるのを防止するため前記隙間を埋めて浴水の吸入を阻止する阻止部材を設けて成ることを特徴とするジェットバスの循環用接続部材。
【請求項２】
内側パッキンが阻止部材を兼ねて成ることを特徴とする請求項１記載のジェットバスの循環用接続部材。
【請求項３】
内側パッキンのフランジ部材と当接する部分の厚みよりもキャップ部材と当接する部分の厚みを薄くして成ることを特徴とする請求項２記載のジェットバスの循環用接続部材。
【請求項４】
浴水の吸入流路に連通する開口を有するハウジングの前記開口を浴槽壁の貫通穴に連通させてハウジングの前記開口の周囲を貫通穴の周囲の槽外側の面に外側パッキンを介して当接させ、浴槽壁の槽内側から筒部及びフランジ部よりなるフランジ部材の筒部を貫通穴を介してハウジングの開口内に挿入して筒部内と吸入流路とを連通させると共に、フランジ部を内側パッキンを介して貫通穴の周囲の槽内側の面に当接させてハウジングとフランジ部材とで浴槽壁を挟持した状態で固定し、略中央部に吐出口を形成した正面蓋部と該正面蓋部の周縁から連設され異物混入防止のため目の細かい穴を多数形成した側筒部とからなるキャップ部材をフランジ部材のフランジ部に被せてなるジェットバスの循環用接続部材において、浴水がキャップ部材の目の細かい穴を通らずにキャップ部材の側筒部とフランジ部材のフランジ部との間の隙間から吸入されるのを防止するためキャップ部材の側筒部とフランジ部材のフランジ部とをインナー嵌合させて成ることを特徴とするジェットバスの循環用接続部材。
【発明の詳細な説明】
【技術分野】
【０００１】
ジェットバス（気泡噴出機能付き浴槽）の循環用接続部材に関するものである。
【背景技術】
【０００２】
ジェットバスすなわち気泡噴出装置を備えた浴槽に設ける循環用接続部材（例えば特許文献１参照）としては、例えば、抜け毛等を捕捉するフィルター機能を持つ部材が知られている。
【０００３】
このような循環用接続部材は、浴槽壁に貫通穴を形成し、この貫通穴の槽外側から、開口を有するハウジング（特許文献１では湯吸込用配管１９）の前記開口を浴槽壁の貫通穴に連通させ、この状態でハウジングの前記開口の周囲を貫通穴の周囲の槽外側の面にパッキンを介して当接させる。そして貫通穴の槽内側からは、筒部及びフランジ部よりなるフランジ部材（特許文献１ではブシュ２１）の筒部を貫通穴を介してハウジングの開口内に挿入して、筒部内と吸入流路とを連通させ、フランジ部をパッキンを介して貫通穴の周囲の槽内側の面に当接させて、ハウジングとフランジ部材とで浴槽壁を挟持した状態で固定する。フランジ部材には、異物の混入を防止するためのキャップ部材（特許文献１では安全カバー２３）が設けてある。
【０００４】
キャップ部材は、異物混入防止のため目の細かい穴（特許文献１では開口部２７）を多数形成したもので、フランジ部材を覆い被せるものである。
【０００５】
ところで、このようなキャップ部材は、フランジ部材を覆い被せるようにして取り付けられるが、キャップ部材の端縁と浴槽壁との間に隙間が形成されると、吸込み機能において損失が発生し、吸込み効率が低くなるものであった。
【特許文献１】特開平９−３１３３７２号公報
【発明の開示】
【発明が解決しようとする課題】
【０００６】
本発明は上記の点に鑑みてなされたものであり、その目的とするところは、吸込み効率の良いジェットバスの循環用接続部材を提供することを課題とするものである。
【課題を解決するための手段】
【０００７】
上記課題を解決するために請求項１に係る発明にあっては、浴水９２の吸入流路１５に連通する開口１０を有するハウジング１の前記開口１０を浴槽壁２の貫通穴２０に連通させてハウジング１の前記開口１０の周囲を貫通穴２０の周囲の槽外側の面２１に外側パッキン３を介して当接させ、浴槽壁２の槽内側から筒部４１及びフランジ部４２よりなるフランジ部材４の筒部４１を貫通穴２０を介してハウジング１の開口１０内に挿入して筒部４１内と吸入流路１５とを連通させると共に、フランジ部４２を内側パッキン５を介して貫通穴２０の周囲の槽内側の面２２に当接させてハウジング１とフランジ部材４とで浴槽壁２を挟持した状態で固定し、略中央部に吐出口７０を形成した正面蓋部７１と該正面蓋部７１の周縁から連設され異物混入防止のため目の細かい穴７３を多数形成した側筒部７２とからなるキャップ部材７をフランジ部材４のフランジ部４２に被せてなるジェットバスの循環用接続部材において、浴水９２がキャップ部材７の目の細かい穴７３を通らずにキャップ部材７と浴槽壁２との間の隙間Ｓから吸入されるのを防止するため前記隙間Ｓを埋めて浴水９２の吸入を阻止する阻止部材８を設けて成ることを特徴とするものである。
【０００８】
このような構成とすることで、阻止部材８によってキャップ部材７と浴槽壁２との間の隙間Ｓが埋められて、この隙間Ｓから低効率で吸入される浴水９２が無くなり、目の細かい穴７３のみから吸い込まれて吸込み効率を向上させることができ、また、キャップ部材７と浴槽壁２との間の隙間Ｓが形成されてしまった際にこの隙間Ｓに毛髪等の異物が吸い込まれて詰まるのが防止される。
【０００９】
また、請求項２に係る発明にあっては、請求項１に係る発明において、内側パッキン５が阻止部材８を兼ねて成ることを特徴とするものである。
【００１０】
このような構成とすることで、一つの部材で内側パッキン５と阻止部材８の機能を果たすことが可能となる。
【００１１】
また、請求項３に係る発明にあっては、請求項２に係る発明において、内側パッキン５のフランジ部材４と当接する部分の厚みよりもキャップ部材７と当接する部分の厚みを薄くして成ることを特徴とするものである。
【００１２】
このような構成とすることで、取り付け時に装着し易く、厚みが厚い部分が圧縮されて外側に広がるため、キャップ部材７とのシール性が向上するものである。
【００１３】
また、請求項４に係る発明にあっては、浴水９２の吸入流路１５に連通する開口１０を有するハウジング１の前記開口１０を浴槽壁２の貫通穴２０に連通させてハウジング１の前記開口１０の周囲を貫通穴２０の周囲の槽外側の面２１に外側パッキン３を介して当接させ、浴槽壁２の槽内側から筒部４１及びフランジ部４２よりなるフランジ部材４の筒部４１を貫通穴２０を介してハウジング１の開口１０内に挿入して筒部４１内と吸入流路１５とを連通させると共に、フランジ部４２を内側パッキン５を介して貫通穴２０の周囲の槽内側の面２２に当接させてハウジング１とフランジ部材４とで浴槽壁２を挟持した状態で固定し、略中央部に吐出口７０を形成した正面蓋部７１と該正面蓋部７１の周縁から連設され異物混入防止のため目の細かい穴７３を多数形成した側筒部７２とからなるキャップ部材７をフランジ部材４のフランジ部４２に被せてなるジェットバスの循環用接続部材において、浴水９２がキャップ部材７の目の細かい穴７３を通らずにキャップ部材７の側筒部７２とフランジ部材４のフランジ部４２との間の隙間Ｓから吸入されるのを防止するためキャップ部材７の側筒部７２とフランジ部材４のフランジ部４２とをインナー嵌合させて成ることを特徴とするものである。
【００１４】
このような構成とすることで、インナー嵌合によってキャップ部材７の側筒部７２とフランジ部材４のフランジ部４２との間の隙間Ｓが埋められて、この隙間Ｓから低効率で吸入される浴水９２が無くなり、目の細かい穴７３のみから吸い込まれて吸込み効率を向上させることができる。
【発明の効果】
【００１５】
本発明は、毛髪等の異物の吸い込みを防止するという基本的な効果に加えて、阻止部材によって浴水吸込口以外からの吸い込みを防止するため、吸い込み時の損失（エネルギーのロス）が少なく、吸込み効率を向上させることができるという効果が得られるものである。
【発明を実施するための最良の形態】
【００１６】
以下、本発明の実施の形態について添付図面に基づいて説明する。
【００１７】
まず、ジェットバス全体について説明する。図３に示すように、浴槽９１があり、その浴槽９１の外側には浴槽９１内の浴水９２を配管９３を通して吸入して吐出するためのポンプ９４が設置されている。配管９３の一端はポンプ９４に接続してあり、他の一端は浴槽９１に設置された循環用接続部材に接続している。配管９３は吸入配管９３ａと吐出配管９３ｂから構成され、この吸入配管９３ａと吐出配管９３ｂとで循環配管９３が構成される。本発明のジェットバスの循環用接続部材は、このような配管９３の浴槽９１への接続部分に設けられる、ハウジング１、パッキン、フランジ部材４、キャップ部材７で主体が構成され、阻止部材８を設けたもので、以下に各実施形態に基づいて説明する。
【００１８】
第一の実施形態について図１、図２に基づいて説明する。
【００１９】
本実施形態のジェットバスの循環用接続部材は、ハウジング１、外側パッキン３、内側パッキン５、阻止部材８、フランジ部材４、ガイド部材６、キャップ部材７、とからなる。
【００２０】
ハウジング１は、略円筒状の外筒部１１を有し、その一端部の開口１０の端縁よりフランジ状部１２を連設したもので、外筒部１１の内側には内筒部１３を有しており、二重筒構造となっている。この二重筒構造の内側、すなわち内筒部１３の内部が吐出流路１４となると共に、二重筒構造の外側、すなわち内筒部１３の外側で且つ外筒部１１の内側の部分が吸入流路１５となるものである。外筒部１１の内面には雌ねじ１１ａが形成してある。また、外部と内筒部１３内の吸入流路１５とを連通させる空気吸入管１６が設けてあり、この空気吸入管１６を介して吐出流路１４の浴水９２に空気を混入させて、吐出流路１４の下流端から気泡が混入した浴水９２が吐出されるようになっている。
【００２１】
このハウジング１は、外筒部１１の一端部の開口１０を浴槽壁２に形成した貫通穴２０に連通させると共に、ハウジング１の開口１０の周囲となるフランジ状部１２を、浴槽壁２の槽外側の面２１の前記貫通穴２０の周囲の部分に外側パッキン３を介して当接させる。外側パッキン３は、浴槽壁２の貫通穴２０の周囲に配置される環状をしたもので、浴槽壁２に当接する側の面にはシール性を向上させるための変形性を有する突起３１を突設してあると共に、ハウジング１に当接する側には、ハウジング１のフランジ状部１２の周端縁を覆う断面Ｌ字状の覆い係止部３２が形成してある。
【００２２】
このように浴槽壁２の槽外側に配置されたハウジング１には、浴槽壁２の槽内側からフランジ部材４を挿入する。フランジ部材４は、筒部４１及びフランジ部４２よりなるもので、筒部４１はハウジング１の外筒部１１の内部に挿入される大きさに形成してあり、外面に雄ねじ４１ａが形成してある。筒部４１の槽内側の端部には、フランジ部４２が連設される。このフランジ部４２が浴槽壁２の貫通穴２０の周囲の槽内側の面２２に内側パッキン５を介して当接するものである。またフランジ部４２の浴槽壁２に当接する面と反対側（槽内側）の面には、槽内側へ行く程径が大きくなるテーパ状の環状リブ４３が形成してあると共に、フランジ部４２の周端縁自体が槽内側へ行く程径が大きくなるテーパ部４４となっていて、これら環状リブ４３、テーパ部４４は後述するがそれぞれガイド部材６、キャップ部材７の係止部となっている。内側パッキン５は、浴槽壁２の貫通穴２０の周囲に配置される環状をしたもので、両面すなわち、浴槽壁２に当接する側の面と、フランジ部材４のフランジ部４２に当接する側の面には、シール性を向上させるための変形性を有する突起５１を突設してある。更に、本発明では、内側パッキン５と共に阻止部材８を介在させるのであるが、これについては後述する。
【００２３】
このフランジ部材４は、浴槽壁２の槽内側から貫通穴２０に筒部４１を挿入し、ハウジング１の外筒部１１に形成した雌ねじ１１ａに筒部４１の雄ねじ４１ａを螺合させて螺入していき、フランジ部４２とハウジング１のフランジ状部１２とで内側パッキン５（及び後述する阻止部材８）と外側パッキン３とを介して浴槽壁２を挟持し、ハウジング１とフランジ部材４とを浴槽壁２に固定するものである。ここで、ハウジング１とフランジ部材４とをねじ嵌合にて固定するようにしたことで、浴槽壁２に厚みのばらつきがあっても吸収することができる。
【００２４】
浴槽壁２に固定されたフランジ部材４には、槽内側からガイド部材６が取り付けられる。ガイド部材６は、側筒部６１と蓋部６２と、吐出管６３とからなるものである。側筒部６１、一端縁（槽外側の開口側となる端縁）が浴槽壁２に固定されたフランジ部材４のフランジ部４２の槽内側の面に当接するもので、内周面に上記フランジ部４２の環状リブ４３と係合する環状をした係合リブ６４が内方に向けて突設してあり、この係合リブ６４とフランジ部４２の環状リブ４３との係合により、フランジ部材４に固定される。側筒部６１には、格子状の浴水吸入口６５が穿設されている。
【００２５】
側筒部６１の他端縁（槽内側の端縁）には蓋部６２が形成されると共に、蓋部６２の略中央部に吐出管６３が接続されて開口していて、この開口が浴槽９１内に噴出される噴出口６６となっている。吐出管６３は、一端側（槽外側）が槽内側よりフランジ部材４の筒部４１内に挿入されてハウジング１の吐出流路１４と連通されると共に、他端側（槽内側）が前記蓋部６２に接続されている。そして、このガイド部材６にはキャップ部材７が覆い被せられる。
【００２６】
キャップ部材７は、略中央部に吐出口７０を形成した正面蓋部７１と、この正面蓋部７１の周縁から連設される側筒部７２とからなる。正面蓋部７１の略中央部に形成した吐出口７０は、ガイド部材６の吐出管６３が接続されて開口している部分に対応するように形成していて、前記吐出管６３から吐出される気泡が混入された浴水９２を吐出させるためのものである。また、側筒部７２には、異物混入防止のため目の細かい穴７３が多数形成してあり、本実施形態では、ガイド部材６に形成された格子状の浴水吸入口６５よりも目が細かい穴で、毛髪等の異物が浴水吸入口６５から吸入されるのを防止するものである。
【００２７】
キャップ部材７は、ガイド部材６及びフランジ部材４のフランジ部４２に覆い被せた状態で、側筒部７２の内周面に形成した環状をした係合リブ７４を上記フランジ部４２の周端縁のテーパ部４４に係合させることで、フランジ部４２に取り付けられる。
【００２８】
次に、阻止部材８について説明する。阻止部材８は、浴槽壁２、内側パッキン５、フランジ部材４、キャップ部材７にて囲まれる空間を埋めるか、図２（ｂ）に示すようにキャップ部材７と浴槽壁２との間に形成される隙間Ｓを埋めるもので、キャップ部材７の側筒部７２の浴槽壁２と接近する側の端縁に当接する環状板部８１と、環状板部８１の外周縁から槽内側に連設される筒状部８２と、からなるパッキンと同様の材料にて形成されるものである。
【００２９】
この阻止部材８は、本実施形態では図２に示すように、外側パッキン３の外側に被嵌されるような状態で配置され、キャップ部材７の係合リブ７４をフランジ部材４のテーパ部４４に係合させて取り付けた時に、キャップ部材７の側筒部７２の端縁と浴槽壁２との間に介在されてこの部分の隙間Ｓを埋める。
【００３０】
阻止部材８を設けない場合には、キャップ部材７の側筒部７２の端縁と浴槽壁２との間に隙間Ｓが形成されて、ガイド部材６の浴水９２吸入される浴水９２は、浴槽９１内からキャップ部材７の目の細かい穴７３を通ってくる本来の経路と、浴槽９１内から前記隙間Ｓを通って更にフランジ部材４のテーパ部４４とキャップ部材７の係合リブ７４との係合部分の隙間Ｓを通る経路の二通りがある。すなわち、フランジ部材４のテーパ部４４とキャップ部材７の係合リブ７４との係合部分にはパッキンを設けていないため小さい隙間Ｓ（図示せず）が形成されてしまい、この小さい隙間Ｓを浴水９２が通るとポンプ９４にて発生する吸い込みのエネルギーをロスしてしまい、吸込み効率が悪くなるが、阻止部材８によってキャップ部材７と浴槽壁２との間の隙間Ｓが埋められて、この隙間Ｓから低効率で吸入される浴水９２が無くなり、目の細かい穴７３のみから吸い込まれて吸込み効率を向上させることができる。また、キャップ部材７と浴槽壁２との間の隙間Ｓから毛髪等の異物が吸い込まれて詰まってしまうのが防止される。
【００３１】
以下に、このジェットバスの動作について説明する。
【００３２】
まず浴槽９１に循環用接続部材が水没するほどの浴水９２で満たされている。ポンプ９４が駆動されると、ガイド部材６の側筒部６１に設けられた浴水吸入口６５に対応するように位置しているキャップ部材７の側筒部７２に設けられた目の細かい穴７３より浴水９２が吸入される。この際、阻止部材８が浴槽壁２とキャップ部材７との間に形成される隙間Ｓを埋めるため、浴水９２はキャップ部材７の目の細かい穴７３のみから吸入され、上述したように吸込み効率が向上すると共に、隙間Ｓに毛髪等の異物が吸い込まれるのを防止するができる。
【００３３】
ガイド部材６の浴水吸入口６５から吸入された浴水９２は、フランジ部材４の筒部４１内に流入し、ハウジング１の外筒部１１内の吸入流路１５から吸入配管９３ａを通ってポンプ９４へと吸入される。ポンプ９４で加圧された浴水９２は、吐出配管９３ｂを通ってハウジング１の内筒部１３内の吐出流路１４に流入する。この時、吐出流路１４に径が徐々に小さくなるハウジング１の内筒部１３内に絞り部１７を形成すると共に、ガイド部材６の吐出管６３に絞り部６７を形成することで、浴水９２の流速が極度に増加する。また、空気吸入管１６から吸入された空気が吐出流路１４を流れる浴水９２に混入されて、噴出口６６から噴出される。
【００３４】
このようにして、浴水９２の吸入と噴出を繰り返しながら浴水９２を循環させ、入浴者に気泡を含んだ浴水９２を供給することができる。
【００３５】
次に、第二の実施形態について図４、図５に基づいて説明する。この第二の実施形態は第一の実施形態と大部分において同様であるため、同様の部分については同符号を付して説明を省略し、主に異なる部分について説明する。
【００３６】
第二の実施形態は、内側パッキン５が阻止部材８を兼用するものである。すなわち、第一の実施形態では、内側パッキン５と阻止部材８とが別部材であったのに対し、第二の実施形態ではこれらを同一部材としたことに特徴を有するものである。
【００３７】
内側パッキン５は、浴槽壁２の貫通穴２０の周囲に配置される環状をしたもので、中央部の穴の径は浴槽壁２の貫通穴２０の径と略同様とすると共に、外周の径は、キャップ部材７の側筒部７２の外径と略同様とするものである。この内側パッキン５には、両面すなわち、浴槽壁２に当接する側の面と、フランジ部材４のフランジ部４２に当接する側の面には、シール性を向上させるための変形性を有する突起５１を突設してある。
【００３８】
この内側パッキン５により、図５に示すように、浴槽壁２とフランジ部材４のフランジ部４２との当接部分と、浴槽壁２とキャップ部材７との当接部分のシールがなされる。
【００３９】
このような構成とすることで、内側パッキン５のみで、浴槽壁２とフランジ部材４のフランジ部４２との当接部分と、浴槽壁２とキャップ部材７との当接部分のシールがなされ、キャップ部材７と浴槽壁２との間に形成される隙間Ｓを埋めることができて、この隙間Ｓから低効率で吸入される浴水９２が無くなり、目の細かい穴７３のみから吸い込まれて吸込み効率を向上させることができる。また、キャップ部材７と浴槽壁２との間の隙間Ｓから毛髪等の異物が吸い込まれて詰まってしまうのが防止される。
【００４０】
次に、第三の実施形態について図６、図７に基づいて説明する。この第三の実施形態は第二の実施形態と大部分において同様であるため、同様の部分については同符号を付して説明を省略し、主に異なる部分について説明する。
【００４１】
第三の実施形態は、内側パッキン５が阻止部材８を兼用する上に、内側パッキン５のフランジ部材４と当接する部分の厚みよりもキャップ部材７と当接する部分の厚みを薄くしたものである。
【００４２】
内側パッキン５は、浴槽壁２の貫通穴２０の周囲に配置される環状をしたもので、中央部の穴の径は浴槽壁２の貫通穴２０の径と略同様とすると共に、外周の径は、キャップ部材７の側筒部７２の外径と略同様とするものである。この内側パッキン５には、両面すなわち、浴槽壁２に当接する側の面と、フランジ部材４のフランジ部４２に当接する側の面には、シール性を向上させるための変形性を有する突起５１を突設してある。
【００４３】
そして、フランジ部材４のフランジ部４２の槽外側の面２１よりもキャップ部材７の側筒部７２の端縁の方が浴槽壁２に近接するため、上述したように、図７に示すように内側パッキン５のフランジ部材４と当接する部分の厚みよりもキャップ部材７と当接する部分の厚みを薄くしてある。
【００４４】
この内側パッキン５により、図７に示すように、浴槽壁２とフランジ部材４のフランジ部４２との当接部分と、浴槽壁２とキャップ部材７との当接部分のシールがなされるが、内側パッキン５のフランジ部材４と当接する部分の厚みよりもキャップ部材７と当接する部分の厚みを薄くしたことで、取り付け時に装着し易く、厚みが厚い部分が圧縮されて外側に広がるため、前記キャップ部材７との密着度が増す（シール性が増す）ものである。
【００４５】
このような内側パッキン５によって、浴槽壁２とフランジ部材４のフランジ部４２との当接部分と、浴槽壁２とキャップ部材７との当接部分のシールがなされ、キャップ部材７と浴槽壁２との間に形成される隙間Ｓを埋めることができて、この隙間Ｓから低効率で吸入される浴水９２が無くなり、目の細かい穴７３のみから吸い込まれて吸込み効率を向上させることができる。また、キャップ部材７と浴槽壁２との間の隙間Ｓから毛髪等の異物が吸い込まれて詰まってしまうのが防止される。
【００４６】
次に、第四の実施形態について図８、図９に基づいて説明する。この第四の実施形態は第一の実施形態と同様の部分については同符号を付して説明を省略し、主に異なる部分について説明する。
【００４７】
第四の実施形態は、浴水９２がキャップ部材７の目の細かい穴７３を通らずにキャップ部材７の側筒部７２とフランジ部材４のフランジ部４２との間の隙間Ｓから吸入されるのを防止するため、キャップ部材７の側筒部７２とフランジ部材４のフランジ部４２とをインナー嵌合させることに特徴を有するものである。
【００４８】
この第四の実施形態では、キャップ部材７の側筒部７２の内周面に、フランジ部材４のフランジ部４２のテーパ部４４がインナー嵌合される該テーパ部４４と同形状の嵌合凹部７５を形成してあり、この嵌合凹部７５に前記フランジ部材４のテーパ部４４がインナー嵌合されてシールがなされる。
【００４９】
このような構成とすることで、阻止部材８によってキャップ部材７の側筒部７２とフランジ部材４のフランジ部４２との間の隙間Ｓが埋められて、この隙間Ｓから低効率で吸入される浴水９２が無くなり、目の細かい穴７３のみから吸い込まれて吸込み効率を向上させることができる。
【産業上の利用可能性】
【００５０】
本発明のジェットバスの循環用接続部材は、例えば液体を媒体とした循環機器など様々な循環用接続部材へ応用することができる。
【図面の簡単な説明】
【００５１】
【図１】第一の実施形態の分解断面図である。
【図２】（ａ）は同上の組立断面図であり、（ｂ）は（ａ）の要部拡大図であり、（ｃ）は阻止部材を設けない場合の要部拡大図である。
【図３】ジェットバスの全体構成図である。
【図４】第二の実施形態の分解断面図である。
【図５】（ａ）は同上の組立断面図であり、（ｂ）は（ａ）の要部拡大図である。
【図６】第三の実施形態の分解断面図である。
【図７】（ａ）は同上の組立断面図であり、（ｂ）は（ａ）の要部拡大図である。
【図８】第四の実施形態の分解断面図である。
【図９】（ａ）は同上の組立断面図であり、（ｂ）は（ａ）の要部拡大図である。
【符号の説明】
【００５２】
１    ハウジング
１０  開口
１５  吸入流路
２    浴槽壁
２０  貫通穴
２１  槽外側の面
２２  槽内側の面
３    外側パッキン
４１  筒部
４２  フランジ部
４    フランジ部材
５    内側パッキン
６    ガイド部材
６３  吐出管
６６  噴出口
７    キャップ部材
７０  吐出口
７１  正面蓋部
７３  目の細かい穴
７２  側筒部
８    阻止部材
９２  浴水
Ｓ    隙間
【図１】
2008154885.tif 000003
【図２】
2008154885.tif 000004
【図３】
2008154885.tif 000005
【図４】
2008154885.tif 000006
【図５】
2008154885.tif 000007
【図６】
2008154885.tif 000008
【図７】
2008154885.tif 000009
【図８】
2008154885.tif 000010
【図９】
2008154885.tif 000011